(57)【特許請求の範囲】
【請求項１】
熱伝導用の流体を流すための配管が内部に張り巡らされた床暖房用マットであって、その表面に複数枚の導電性シートを並べて接着剤で貼り付けたものにおいて、
前記複数枚の導電性シート同士を導電性部材で接続することによって前記導電性シート間全体の導通を確保したことを特徴とする床暖房用マット。
【請求項２】
熱伝導用の流体を流すための配管が内部に張り巡らされた床暖房用マットであって、その表面に複数枚の導電性シートを並べて接着剤で貼り付けたものにおいて、
少なくとも２枚の前記導電性シートに導電性部材を前記接着剤で覆われていない箇所で接触させてこれらの導電性シート間全体の導通を確保するとともに、前記導電性部材を前記導電性シートに固定したことを特徴とする床暖房用マット。
【請求項３】
熱伝導用の流体を流すための配管が内部に張り巡らされた床暖房用マットであって、その表面に複数枚の導電性シートを並べて接着剤で貼り付けたものにおいて、
少なくとも隣り合う導電性シートの双方と接触するように導電性部材を前記導電性シートの上に置くことで前記導電性部材と接触する複数の導電性シート間全体の導通を確保するとともに、その上から所定の接着部材で前記導電性部材を前記導電性シートに固定したことを特徴とする床暖房用マット。
【請求項４】
熱伝導用の流体を流すための配管が内部に張り巡らされた床暖房用マットであって、その表面に複数枚の導電性シートを並べて接着剤で貼り付けたものにおいて、
隣り合う導電性シート同士を前記接着剤で覆われていない箇所で接触させることによってこれら導電性シート間全体の導通を確保したことを特徴とする床暖房用マット。
【発明の詳細な説明】
【０００１】
【発明の属する技術分野】
本発明は、熱伝導用の流体を流すための配管が内部に張り巡らされた床暖房用マットであって、その表面に複数枚の導電性シートを並べて接着剤で貼り付けたものに関する。
【０００２】
【従来の技術】
一般に、床暖房用マットの内部には、温水などの熱媒体を循環させるための配管が張り巡らされている。このような床暖房用マットを家屋等の床面下に設置する際には、通常、下地合板の上に床暖房用マットを敷設し、その上にフローリング材等の床材を釘等で固定して仕上げるようになっている。
【０００３】
床材を釘で固定する作業は、目視によって配管のない箇所を確認しながら行うが、誤って配管に損傷を与えてしまうことがある。また配管に釘が刺さったままの状態ではすぐに温水が漏れないので、損傷を与えた事自体に作業者が気付かない場合もある。このため、床材固定用の釘が床暖房用マット内の配管に損傷を与えているか否かを施工後に検査する方法が従来から種々提案されている。
【０００４】
たとえば、特開平５−１８０７２３号公報には、釘が配管を貫通しているか否かを電気的導通の有無によって検査する損傷検出装置が開示されている。この装置では、床暖房用温水マットの表面に導電性シートを積層しておき、当該導電性シートと配管内の温水との間の電気的導通の有無によって、釘が配管を貫通しているか否かを検査するようになっている。
【０００５】
通常、導電性シートは、非導電性のアクリル系粘着剤を使用して床暖房用マットの表面に貼り付けられる。また、ある程度以上の大きさの床暖房用マットでは、複数枚の導電性シートを、その境界部分で一部重なるようにして貼り付けている。このほか、折り畳み式の床暖房用マットでは、折り曲げ箇所近傍の配管部分を搬送時に基材シートへ固定せず、現場で基材シートに固定するようになっている。現場では、折り曲げ箇所近傍の固定されていない配管を基材シートに設けた配管溝にはめ込み、その上から、裏面に粘着層を有するアルミ箔で構成された導電性シートを貼り付けるようになっている。
【０００６】
【発明が解決しようとする課題】
導電性シートを床暖房用マットの表面に貼り付けるために使用されるアクリル系粘着剤などの接着剤は、通常、導電性を有しないので、図１９に示すように、複数枚の導電性シート５０１、５０２を重ねて張り付けると、導電性シート同士の間に介在する粘着剤５０３によって隣り合う導電性シート同士が絶縁状態になってしまう。このため、床暖房用マット表面に貼った一の導電性シート５０１から出したリード線５０５と配管５０６内部の流体との間の導通状態を釘打ち検知器５０７を用いて調べても、絶縁状態にある導電性シート５０２側で釘が配管を貫通している場合には導通が生まれないので、当該絶縁状態にあるシート５０２側で釘が配管を貫通しているか否かを釘打ち検知器によって確認することができないという問題があった。
【０００７】
本発明は、このような従来の技術が有する問題点に着目してなされたもので、表面に貼られた複数の導電性シートのうちの一の導電性シートと配管内の流体との間の導通を調べることによってどの箇所で釘が配管を貫通してもこれを確実に検知し得る床暖房用マットを提供することを目的としている。
【０００８】
【課題を解決するための手段】
かかる目的を達成するための本発明の要旨とするところは、次の各項の発明に存する。
［１］熱伝導用の流体を流すための配管（１１）が内部に張り巡らされた床暖房用マットであって、その表面に複数枚の導電性シート（１２、１３）を並べて接着剤（１２ｂ、１３ｂ）で貼り付けたものにおいて、
前記複数枚の導電性シート（１２、１３）同士を導電性部材（３１、５１、５３、６１、８１、９１、９２）で接続することによって前記導電性シート（１２、１３）間全体の導通を確保したことを特徴とする床暖房用マット。
【０００９】
［２］熱伝導用の流体を流すための配管（１１）が内部に張り巡らされた床暖房用マットであって、その表面に複数枚の導電性シート（１２、１３）を並べて接着剤（１２ｂ、１３ｂ）で貼り付けたものにおいて、
少なくとも２枚の前記導電性シート（１２、１３）に導電性部材（３１、５１、５３、６１、８１）を前記接着剤（１２ｂ、１３ｂ）で覆われていない箇所で接触させてこれらの導電性シート（１２、１３）間全体の導通を確保するとともに、前記導電性部材（３１、５１、５３、６１、８１）を前記導電性シート（１２、１３）に固定したことを特徴とする床暖房用マット。
【００１０】
［３］熱伝導用の流体を流すための配管（１１）が内部に張り巡らされた床暖房用マットであって、その表面に複数枚の導電性シート（１２、１３）を並べて接着剤（１２ｂ、１３ｂ）で貼り付けたものにおいて、
少なくとも隣り合う導電性シート（１２、１３）の双方と接触するように導電性部材（３１、５１、５３、６１）を前記導電性シート（１２、１３）の上に置くことで前記導電性部材（３１、５１、５３、６１）と接触する複数の導電性シート（１２、１３）間全体の導通を確保するとともに、その上から所定の接着部材（３２、５２、６２）で前記導電性部材（３１、５１、５３、６１）を前記導電性シート（１２、１３）に固定したことを特徴とする床暖房用マット。
【００１１】
［４］熱伝導用の流体を流すための配管（１１）が内部に張り巡らされた床暖房用マットであって、その表面に複数枚の導電性シート（１２、１３）を並べて接着剤（１２ｂ、１３ｂ）で貼り付けたものにおいて、
隣り合う導電性シート（１２、１３）同士を前記接着剤（１２ｂ、１３ｂ）で覆われていない箇所で接触させることによってこれら導電性シート（１２、１３）間全体の導通を確保したことを特徴とする床暖房用マット。
【００１２】
前記本発明は次のように作用する。
床暖房用マットの表面に並べて貼り付けられた導電性シート（１２、１３）同士を導電性部材（３１、５１、５３、６１、８１、９１、９２）で接続することで、これら導電性シート（１２、１３）間全体の導通が確保される。たとえば、各導電性シート（１２、１３）からそれぞれリード線を出し、これらのリード線同士を結線することで導通が確保される。これにより、表面に貼られた２枚以上の導電性シート（１２、１３）のうちの一の導電性シート（１２）と配管（１１）内の流体との間の導通状態を調べることによって、どの箇所で釘が配管（１１）を貫通しても、これを確実に検知することができる。
【００１３】
また、導電性部材（３１、５１、５３、６１、８１）を複数の導電性シート（１２、１３）に接着剤（１２ｂ、１３ｂ）で覆われていない箇所で接触させることによって、これら導電性シート（１２、１３）間の導通を確保するとともに、この導電性部材（３１、５１、５３、６１、８１）を導電性シート（１２、１３）に固定する。
【００１４】
たとえば、隣り合う導電性シート（１２、１３）の境界部分にホチキスの針を打ち込むことで導通を確保し、その上から粘着テープを貼り、打ち込んだ針が抜けないように固定する。このように、導通を確保した状態で導電性部材（３１、５１、５３、６１、８１）を導電性シート（１２、１３）に固定するので、施工後に行われる検査時に、導電性シート（１２、１３）間の導通を確実に確保することができる。
【００１５】
さらに、導電性部材（３１、５１、５３、６１）を複数の導電性シート（１２、１３）と接触するように導電性シート（１２、１３）の上に置くことで導電性シート（１２、１３）間の導通を確保し、その上から所定の接着部材（３２、５２、６２）で導電性部材（３１、５１、５３、６１）を導電性シート（１２、１３）に固定する。
【００１６】
たとえば、隣り合う導電性シート（１２、１３）の境界部分上に裸導線やアルミ箔を載せ、その上から粘着テープ等でアルミ箔等を導電性シート（１２、１３）に固定する。このように導電性部材（３１、５１、５３、６１）を載せて、その上から粘着テープ等で固定するだけなので、少ない作業工数で確実な導通を得ることができる。
【００１７】
このほか、隣り合う導電性シート（１２、１３）同士を接着剤（１２ｂ、１３ｂ）で覆われていない部分同士で接触させることによってこれら導電性シート（１２、１３）間の導通を確保するようにしてもよい。たとえば、２枚の導電性シート（１２、１３）の重なり部分の上から、カッターナイフで切り込みを入れると、その切断箇所が下方に折れ曲がり、接着剤の無い端面が下を向くので、これが下側の導電性シート（１２、１３）の表面側と接触し、導通が確保される。
【００１８】
【発明の実施の形態】
以下、図面に基づき本発明の各種実施の形態を説明する。
図２は、本発明にかかる床暖房用マット１０に釘打ち検知器２０を接続した状態を示している。床暖房用マット１０は、熱伝導用の流体を流すための樹脂製の配管１１が内部に張り巡らされているとともに、その表面に２枚以上の導電性シート１２、１３が非導電性のアクリル系樹脂粘着剤で貼り付けられている。
【００１９】
床暖房用マット１０の端部には、外部の配管と床暖房用マット１０内部の配管１１とを接続するためのヘッダ部１４が形成されている。ヘッダ部１４には、配管１１の入側端部と出側端部とがそれぞれ露出しており、これら配管１１の端部には、金属製の接続コネクタ１５が取り付けて有る。なお、接続コネクタ１５と配管１１内の流体とは接触しており、電気的導通が確保されている。
【００２０】
一の導電性シート１２のうち、ヘッダ部１４の近傍箇所からはリード線１６が出ている。また接続コネクタ１５からもリード線１７が出ており、これらリード線１６、１７の他端側には釘打ち検知器２０が接続される。
【００２１】
釘打ち検知器２０は、リード線１６とリード線１７との間の導通状態、すなわち、導電性シート１２、１３と配管１１内の流体との間の導通状態を検査するものである。床材を固定するために打ち込んだ釘が配管１１を貫通すると、当該釘によって導電性シートと配管１１内の流体との間が導通し、リード線１６とリード線１７との間の抵抗値が基準値以下まで低下する。釘打ち検知器２０は、この抵抗値が基準値以下になったとき、釘が配管１１を貫通している旨の警報を発するようになっている。
【００２２】
図１は、第１の実施の形態にかかる床暖房用マット１０の断面を示している。導電性シート１２、１３は、アルミ箔１２ａ、１３ａの裏面に非導電性のアクリル系樹脂粘着剤１２ｂ、１３ｂを塗布したものであるため、導電性シート１３の上に導電性シート１２を重ねて貼り付けただけでは、これらの合わせ目部分において、導電性シート１２と導電性シート１３との導通は得られない。
【００２３】
本実施の形態では、隣り合う導電性シート１２，１３の合わせ目部分にその上から導電部材として、アルミ箔からなる金属シート３１を載置し、当該金属シート３１の上から粘着シート３２を被せ、金属シート３１を導電性シート１２および導電性シート１３に固定している。なお、ここでは、粘着シート３２として床暖房用マット１０の表面に貼ってある導電性シート１２、１３と同一構造のものを用いている。すなわちアルミ箔層３２ａの裏面側に粘着層３２ｂを有する粘着シートを用いている。
【００２４】
このように金属シート３１を介して導電性シート１２と導電性シート１３との間の導通が確保されるので、リード線１６の出ていない導電性シート１３側で床材４０を固定するための釘４１が配管１１を貫通しても、これを釘打ち検知器２０によって確実に検知することができる。
【００２５】
図３、図４は、隣り合う導電性シート間の導通を確保するための導電性部材の他の例を示している。図３は、導電性シート間の導通を確保するための導電性部材として、網目状の金属シート５１を用い、これよりもひとまわり大きい粘着シート５２を用いて、金属シート５１を導電性シート上に固定するように構成したものである。図４は、アルミ箔に多数の孔を開設した穴あき金属シート５３を導電性部材として用いている。
【００２６】
このように、メッシュ状あるいは穴あきの金属シート５１、５３を導電性部材として用いることによって接着面積が大きくなるとともに、導電性部材５１、５３と導電性シート１２、１３とが密着し、確実な導通を得ることができる。
【００２７】
上述の各例では、金属シート３１や網目状の金属シート５１、穴あき金属シート５３などの導電性部材を粘着シート３２、５２によって導電性シート１２、１３側に固定したが、粘着シートに代えて粘着テープを用いるようにしてもよい。さらに、粘着テープや粘着シートに代えて、導電性シート１２、１３の合わせ目上に載置した導電性部材３１、５１、５２をその上から接着剤で導電性シートに固定するようにしてもよい。なお、接着剤として導電性を備えたものを用いれば、仮に接着剤が導電性部材３１、５１、５２と導電性シート１２、１３との隙間に周り込んだ場合であっても、導電性シート１２、１３間の導通を確保することができる。
【００２８】
図５、図６は、本発明の第２の実施の形態にかかる床暖房用マット１０ａを示している。床暖房用マット１０ａでは、導電性部材として、リード線、信号線、エナメル線などの裸導線６１を、隣り合う導電性シート１２、１３の合わせ目箇所に載せ、その上から粘着テープ６２で裸導線６１を導電性シート１２、１３に固定している。なお粘着テープ６２は、アルミ箔６２ａの裏面に粘着層６２ｂを有している。
【００２９】
図５に示すように、裸導線６１を合わせ目部分にだけ載置するようにしてもよいが、図６に示すように、合わせ目６３の上だけでなく、床暖房用マット１０ａのほぼ全幅に渡って数本の裸導線６１を載置し、これらを粘着テープや粘着シートで固定するようにしてもよい。さらに裸導線６１のうちのいずれか１本を延長し、リード線１６として用いるように構成してもよい。なお、第２の実施の形態においても、裸導線６１の固定方法は粘着テープ等に限らず、接着剤を用いるようにしてもよい。
【００３０】
図７は、第３の実施の形態にかかる床暖房用マット１０ｂの断面を示している。床暖房用マット１０ｂでは、導電性部材としてホチキスの針を用いている。すなわち、導電性シート１２と導電性シート１３との合わせ目部分に、金属製のホチキス針８１を打ち込み、これによって導電性シート１２と導電性シート１３との間の導通を確保している。ホチキス針８１を打ち込んだ状態のままでもよいが、抜け防止のために、その上からさらに粘着シート８２で固定している。
【００３１】
また、ホチキス針８１に代えて、金属製のピンを合わせ目箇所に突き刺すようにしてもよい。なお、ホチキス針やピンの打ち込まれる合わせ目箇所は、その下方に配管１１の存在しない部分が選択される。また、図示していないが、隣り合う導電性シート１２、１３の合わせ目（重なり）部分を、金属製の糸で縫うことによって、導通を確保するようにしてもよい。この場合、縫うことによって自ずと、導電性部材である糸が導電性シートに固定されることになる。
【００３２】
図８は、第４の実施の形態にかかる床暖房用マット１０ｃを示している。床暖房用マット１０ｃでは、各導電性シート１２、１３からそれぞれリード線９１、９２を出し、これらリード線９１、９２同士をコネクタ９３で接続することで導電性シート１２、１３間の導通を確保している。なお、リード線９１、９２に代えて信号線、エナメル線等を用いてもよい。また接続方法は、コネクタを用いるものに限らず、たとえば、リード線同士を直接より合わせる等で接続したり、圧着端子を用いたり、導電性の接着剤で接続するようにしてもよい。
【００３３】
図９は、第５の実施の形態にかかる床暖房用マット１０ｄの断面を示している。床暖房用マット１０ｄでは、合わせ目部分で上側に位置する導電性シート１２の端部を、その粘着層１２ｂのある方を内側にして折り返し、粘着剤の無い部分、すなわち導電性シート１２のアルミ箔部分が、下側の導電性シート１３表面（アルミ箔部分）と直接接触するように２枚の導電性シート１２、１３を重ね合わせてある。そして、合わせ目部分の接触を確実に維持するために、その上から粘着シート１０１を貼り付けて有る。
【００３４】
図１０は、第６の実施の形態にかかる床暖房用マット１０ｅの断面を示している。床暖房用マット１０ｅでは、合わせ目部分で上になる導電性シート１２の端部では当該箇所の裏面１０２に有った粘着層１２ｂを除去してある。
【００３５】
これにより合わせ目箇所において上側の導電性シート１２のアルミ箔部分と下側の導電性シート１３のアルミ箔部分とが直接接触し、導通が確保される。また粘着シート１０１によって固定することで、当該導通を確実なものとしている。
【００３６】
図１１は、第７の実施の形態にかかる床暖房用マット１０ｆの断面を示している。床暖房用マット１０ｆでは、導電性シート１２と導電性シート１３とを従来通り、ある程度、重ねて貼り付け、この重なり部分に、後から、カッターナイフなどで切り込みを入れている。切り込み箇所１１１では、図示するように、切断箇所が下向きに曲がるので、当該下向きになった端面のアルミ箔部分と下側の導電性シート１３の表面のアルミ箔とが直接接触して導通が確保される。
【００３７】
このほか、導電性シート１２と導電性シート１３とが重なり合っている部分を圧着し、その中間部分の粘着剤を避けて導通性を確保するようにしてもよい。また、導電性シート１２の裏面側および導電性シート１３の裏面側に設けた粘着層１２ｂ、１３ｂを導電性のある粘着剤で形成するようにしてもよい。導電性を有する粘着剤を用いることで、単に、導電性シート１２と導電性シート１３とを一部重ねて貼り合わせるだけで、これらのシート間の導通を確保することができる。
【００３８】
なお、実際には、熱伝導性をより良くするために、ヘッダ部１４の上にもアルミ箔を貼り、接続コネクタ１５の先端分（タケノコ形状をなした部分１５ａ）だけを床暖房用マット１０の側部から突出させるようにしているが、そのままアルミ箔をヘッダ部１４の上に貼り付けると、ヘッダ部１４に存する接続コネクタ１５とアルミ箔とが接触して導電性シートと配管１１の接続コネクタ１５部分とが常に導通し、釘が配管１１を貫通したか否かを検知し得なくなってしまう。そこで、図１３に示すように、ヘッダ部１４に被さるアルミ箔１３０の裏側に、絶縁性の塩化ビニールシート１３１を貼り付けるようにしている。
【００３９】
図１４から図１６は、３つ折りにして梱包し搬送する３分割折り畳み式の床暖房用マット２００を示している。図１４に示すように、３分割折り畳み式の床暖房用マット２００は、基材シート部が第１から第３の基材シート２０１〜２０３に分かれており、第１の基材シート２０１は、第２の基材シート２０２とアルミ箔からなる導電性シート２０４の無い側でつながっており、導電性シート２０４の無い裏面側が内側になるようにして折り畳まれる。第３の基材シート２０３は、導電性シートのある表面側で第２の基材シート２０２とつながっており、当該表面側が内側になるようにして折り畳まれるようになっている。
【００４０】
一の基材シートから隣りの基材シートへ配管１１を渡す部分では、基材シートが切り欠かれており、配管１１が露出している。これにより、配管１１を途中で分断することなく、床暖房用マット２００を折り畳むことが可能になっている。図１５は、３分割折り畳み式の床暖房用マット２００を広げて設置する際の様子を示している。図示するように、折り曲げ箇所に設けた切り欠き部分には、当該切り欠き部分に対応した形状の接続用基材シート２１０がはめ込まれる。接続用基材シート２１０の表面には、配管１１を埋め込むための配管溝２１１が形成され、露出している配管１１を当該配管溝２１１にはめ込むようになっている。なお、第２の基材シート２０２には、図１３に示した構成のヘッダ部１４が形成されている。
【００４１】
第１の基材シート２０１と第２の基材シート２０２とは、つなぎ目が基材シート側になっているので、第１の基材シート２０１表面の導電性シート２０４と第２の基材シート２０２表面の導電性シート２０５とは、切れ目２２１の箇所で切り離されており、３分割折り畳み式の床暖房用マット２００を広げたままの状態では、これらの間の導通は確保されない。一方、第２の基材シート２０２と第３の基材シート２０３とはつなぎ目が表面側なので、第２の基材シート２０２表面に貼った導電性シート２０５は、第２の基材シート２０２と第３の基材シート２０３との折り曲げ箇所２２２を越えて、第３の基材シート２０３の途中まで伸びている。
【００４２】
導電性シート２０５の幅は、約１ｍであり、第２の基材シート２０２と第３の基材シート２０３を合わせた幅はこれより長いので、第３の基材シート２０３の途中で導電性シート２０５と導電性シート２０６とがあわせ目箇所２２３で数センチの重なりをもってつなぎ合わされている。
【００４３】
導電性シート２０５と導電性シート２０６とは、３分割折り畳み式の床暖房用マット２００を広げたままの状態では、図１７で示すように、上側になる導電性シート裏面の粘着材によって互いが絶縁状態になっている。また図１６に示すように、接続用基材シート２１０を取り付けた後、当該接続用基材シート２１０の上にも導電性シート２０７を貼り付けるが、その裏面側に存する粘着剤のために、導電性シート２０４、２０５、２０６と接続用基材シート２１０上に貼った導電性シート２０７とは絶縁状態にある。
【００４４】
そこで、図１６に示すように、導電テープ２０８を、隣り合う導電性シート２０４〜２０７の境界部分に適宜貼り付け、各導電性シート２０４〜２０７間の導通を確保している。なお導電テープ２０８に代えて各実施の形態で説明した態様によって導電性シート間の導通を確保するようにしてもよい。
【００４５】
以上説明した実施の形態では、導電性部材としての金属シート３１、５１、５２をアルミ箔で構成したが、これに代えて、銅箔、金箔など他の良導電性の金属から成るシートを用いてもよい。また各実施の形態における導電性部材の固定方法は、粘着シート、粘着テープ、接着剤、導電性の接着剤等のいずれを用いるようにしてもよい。なお、図１３に示すように、導電性部材としての金属シート１２１を粘着シート１２２に貼り付けた状態のパッチテープ１２０を予め剥離シート上に多数用意しておけば、現場での作業を容易に進めることが可能になる。図１３に示したパッチテープ１２０は、金属シート部分１２１および粘着シートの表面部分１２２ａをアルミ箔で構成し、粘着シート裏面側は、アクリル系樹脂粘着剤からなる粘着層１２２ｂになっている。
【００４６】
また表面がアルミ箔などの薄い金属でその裏面に接着剤の塗布された導電テープを、隣り合う導電性シートの合わせ目の上から貼り付けるようにしてもよい。この際、図９に示した場合と同様に、導電テープの端部を接着面が内側になるようにわずかだけ折り曲げると当該導電テープによって導電性シート間の導通を確保することができる。
【００４７】
図１４等では、３つ折り形式の床暖房用マットを示したが、２つ折りあるいは４つ折りなど、複数折りのものであってもよい。また、図１７に示すように格子状の金網３００の裏面側に、当該裏面側の金網を覆わないようにして接着剤を塗布したものを導電性テープの代用としてもよい。なお図１７ｂは、金網３００の断面を示している。さらに、図１８ａに示すようにアルミ箔等の金属シートの裏面に接着剤を塗布した導電性テープ３１０に切れ目３１１を入れ、当該切れ目部分を折り返して（図１８ｂ）、金属シートが裏面側に現れるようにし（図１８ｃ）、この裏面側に現れた金属シート部分によって床暖房用マット表面の導電性シート間の導通を図るようにしてもよい。
【００４８】
【発明の効果】
本発明にかかる床暖房用マットによれば、表面に貼り付けられた複数の導電性シート同士を導電性部材などを用いて接続し、これら導電性シート間の導通を確保したので、表面に貼られた複数の導電性シートのうちの一の導電性シートと配管内の流体との間の導通状態を調べることによって、どの箇所で釘が配管を貫通してもこれを確実に検知することができる。
【図面の簡単な説明】
【図１】本発明の第１の実施の形態に係る床暖房用マットを示す断面図である。
【図２】本発明の各実施の形態に係る床暖房用マットに釘打ち検知器を接続した状態を示す説明図である。
【図３】隣り合う導電性シートの導通を確保するために用いる網の目状の金属シートを示す正面図である。
【図４】隣り合う導電性シートの導通を確保するために用いる穴あき金属シートを示す正面図である。
【図５】本発明の第２の実施の形態に係る床暖房用マットを示す断面図である。
【図６】本発明の第２の実施の形態に係る床暖房用マットを示す斜視図である。
【図７】本発明の第３の実施の形態に係る床暖房用マットを示す断面図である。
【図８】本発明の第４の実施の形態に係る床暖房用マットを示す斜視図である。
【図９】本発明の第５の実施の形態に係る床暖房用マットを示す断面図である。
【図１０】本発明の第６の実施の形態に係る床暖房用マットを示す断面図である。
【図１１】本発明の第７の実施の形態に係る床暖房用マットを示す断面図である。
【図１２】導電性部材としての金属シートを粘着シートに貼り付けた状態のパッチテープを示す説明図である。
【図１３】本発明の各実施の形態に係る床暖房用マットのヘッダ部分を示す斜視図である。
【図１４】３分割折り畳み式の床暖房用マットの折り畳まれた状態を示す説明図である。
【図１５】３分割折り畳み式の床暖房用マットを広げた状態を示す説明図である。
【図１６】３分割折り畳み式の床暖房用マットに導電テープを貼り付けて各導電性シート間の導通を確保した状態を示す説明図である。
【図１７】導電性テープの代用となる金網を示す斜視図である。
【図１８】切れ目で折り返すことによって裏面側に導通性を持たせた導電性テープを示す説明図である。
【図１９】従来から使用されている床暖房用マットを示す断面図である。
【符号の説明】
１０…床暖房用マット
１１…配管
１２、１３、１３０、２０４〜２０７…導電性シート
１２ａ、１３ａ…アルミ箔層
１２ｂ、１３ｂ…粘着層
１４…ヘッダ部
１５…接続コネクタ
１６、１７…リード線
２０…釘打ち検知器
３１、５１、５３…金属シート
３２、５２、８２、１０１…粘着シート
４０…床材
４１…釘
６１…裸導線
６２…粘着テープ
８１…ホチキス針
９１、９２…リード線
９３…コネクタ
１２０…パッチテープ
１３１…塩化ビニールシート
２００…３分割折り畳み式の床暖房用マット
２０１…第１の基材シート
２０２…第２の基材シート
２０３…第３の基材シート
２０８…導電テープ
２１０…接続用基材シート
２１１…配管溝
３００…金網
３１０…導電性テープ
３１１…切れ目
【図１】
0003844605.tif 000002
【図２】
0003844605.tif 000003
【図３】
0003844605.tif 000004
【図４】
0003844605.tif 000005
【図５】
0003844605.tif 000006
【図６】
0003844605.tif 000007
【図７】
0003844605.tif 000008
【図８】
0003844605.tif 000009
【図９】
0003844605.tif 000010
【図１０】
0003844605.tif 000011
【図１１】
0003844605.tif 000012
【図１２】
0003844605.tif 000013
【図１３】
0003844605.tif 000014
【図１４】
0003844605.tif 000015
【図１５】
0003844605.tif 000016
【図１６】
0003844605.tif 000017
【図１７】
0003844605.tif 000018
【図１８】
0003844605.tif 000019
【図１９】
0003844605.tif 000020